(57)【要約】【目的】親骨を改良した洋傘を提供する。【構成】中棒の上端近傍に固定した上ロクロと、該上ロクロの下方に位置して中棒に摺動自在に外挿された下ロクロと、基端部を上ロクロに枢着されると共に先端部に露先を設けた親骨と、基端部を下ロクロに枢着されると共に先端部を親骨の長手方向中途部に枢結具を介して枢結された受骨を備え、親骨に傘布を張設して成る洋傘において、前記親骨は、基端部から枢結具に至る基骨部と、枢結具から先端部に至る先骨部とから構成されており、前記基骨部は、幅方向に弾性変形可能に並設された一対の板骨から構成されており、下ロクロの上昇により受骨を介して親骨を開傘せしめたとき、一対の板骨が相互に離反方向に湾曲して弾性変形される構成である。【選択図】        図３
2004194952.tif 000002
【特許請求の範囲】
【請求項１】
中棒１の上端近傍に固定した上ロクロ２と、該上ロクロ２の下方に位置して中棒１に摺動自在に外挿された下ロクロ３と、基端部４ａを上ロクロ２に枢着されると共に先端部４ｂに露先５を設けた親骨９と、基端部６ａを下ロクロ３に枢着されると共に先端部６ｂを親骨９の長手方向中途部に枢結具１０を介して枢結された受骨１１を備え、親骨９に傘布８を張設して成る洋傘において、
前記親骨９は、基端部４ｂから枢結具１０に至る基骨部９ａと、枢結具１０から先端部４ｂに至る先骨部９ｂとから構成されており、
前記基骨部９ａは、幅方向に弾性変形可能に並設された一対の板骨１２、１２から構成されており、下ロクロ３の上昇により受骨１１を介して親骨９を開傘せしめたとき、一対の板骨１２、１２が相互に離反方向に湾曲して弾性変形されるように構成して成ることを特徴とする洋傘。
【請求項２】
親骨９の基骨部９ａは、開傘時に相互に離反方向に湾曲せしめられた一対の板骨１２、１２により、傘布を下方から支持する幅広支持手段１８を構成して成ることを特徴とする請求項１に記載の洋傘。
【請求項３】
親骨９は、開傘時に相互に離反方向に湾曲せしめられた一対の板骨１２、１２により規定される基骨部９ａの長さＬ１と、閉傘時に相互にほぼ直線状態で重ね合わせられた一対の板骨１２、１２により規定される基骨部９ａの長さＬ２を、Ｌ１＜Ｌ２とする伸縮手段１９を構成して成ることを特徴とする請求項１又は２に記載の洋傘。
【発明の詳細な説明】
【０００１】
【発明の属する技術分野】
本発明は、洋傘に関し、特に、洋傘の骨組構造における親骨の改良に関するものである。
【０００２】
【従来の技術】
従来、洋傘は、図６に示すように、中棒１の上端近傍に固定した上ロクロ２と、該上ロクロ２の下方に位置して中棒１に摺動自在に外挿された下ロクロ３と、基端部４ａを上ロクロ２に枢着されると共に先端部４ｂに露先５を設けた親骨４と、基端部６ａを下ロクロ３に枢着されると共に先端部６ｂを親骨４の長手方向中途部に枢結具７を介して枢結された受骨６を備えている。
【０００３】
親骨４及び受骨６は、上ロクロ２及び下ロクロ３から放射方向に延びるように所定本数（例えば８本）が設けられており、親骨４の上には傘布８が張設されている。
【０００４】
露先５は、筒部５ａを親骨４の先端部４ｂに挿脱自在に外挿せしめられ、傘布８の縁部に糸を介して縫着されている。尚、傘布８は、上ロクロ２の上部に石突き（図示せず）を介して固着されると共に、親骨４の枢結具７又はその近傍部に糸を介して縫着されている。
【０００５】
【発明が解決しようとする課題】
従来の洋傘によれば、開傘状態において、上ロクロ２から放射方向に延びる所定本数の親骨４が周方向に大きく間隔をあけて配置される。例えば、８本の親骨４を設けた洋傘の場合、隣り合う親骨４、４が相互に４５度（３６０度／８本）を間隔として離れており、当然のことながら、親骨が相互に離間したほぼ三角形の空間部分において、傘布８は親骨４により支持されていない。このため、強風を受けた際に傘布８が煽られ易いという問題がある。また、大粒の雨水が落下するような場合、親骨４に支持されていない傘布８のほぼ三角形部分により大きな衝撃音を発生し、騒がしいという問題がある。
【０００６】
ところで、親骨４に張設された傘布８は、図６（Ａ）に示すような開傘時には緊張せしめられるが、図６（Ｂ）に示すような閉傘時には弛む。即ち、開傘時には、傘布８が展開されつつ緊張し、親骨４と共に図６（Ａ）に示すようにアーチ状に湾曲せしめられるが、閉傘時には、親骨４の集束と共に傘布８が弛み、親骨４は図６（Ｂ）に示すように直線状に復元する。この点に関して、傘布８の縁部に縫着された露先５は、筒部５ａを親骨４の先端部４ｂに挿脱自在に外挿せしめているに過ぎない。従って、開傘時には、傘布８の緊張により筒部５ａを親骨４の先端部４ｂに圧接した状態とされるが、閉傘時には傘布８が弛むので、筒部５ａを親骨４の先端部４ｂに対して遊動自在とする。このため、閉傘時に露先５が親骨４の先端部４ｂから脱落し易いという問題がある。
【０００７】
【課題を解決するための手段】
本発明は、上述のような問題を解決した洋傘を提供するものであり、その手段として構成したところは、中棒の上端近傍に固定した上ロクロと、該上ロクロの下方に位置して中棒に摺動自在に外挿された下ロクロと、基端部を上ロクロに枢着されると共に先端部に露先を設けた親骨と、基端部を下ロクロに枢着されると共に先端部を親骨の長手方向中途部に枢結具を介して枢結された受骨を備え、親骨に傘布を張設して成る洋傘において、前記親骨は、基端部から枢結具に至る基骨部と、枢結具から先端部に至る先骨部とから構成されており、前記基骨部は、幅方向に弾性変形可能に並設された一対の板骨から構成されており、下ロクロの上昇により受骨を介して親骨を開傘せしめたとき、一対の板骨が相互に離反方向に湾曲して弾性変形されるように構成して成る点にある。
【０００８】
そこで、親骨の基骨部は、開傘時に相互に離反方向に湾曲せしめられた一対の板骨により、傘布を下方から支持する幅広支持手段を構成する。従って、親骨間における傘布は、幅広支持手段により好適に支持される。このため、開傘時に強風を受けた際にも傘布が煽られることはなく、また、大粒の雨水の落下を受けた際にも衝撃音が小さく静粛性に優れる。
【０００９】
更に、親骨は、開傘時に相互に離反方向に湾曲せしめられた一対の板骨により規定される基骨部の長さＬ１と、閉傘時に相互にほぼ直線状態で重ね合わせられた一対の板骨により規定される基骨部の長さＬ２を、Ｌ１＜Ｌ２とする伸縮手段を構成する。従って、閉傘時に傘布が弛む際に、基骨部が伸長することにより親骨の先端部（先骨部の先端部）を露先の筒部に対し奥深く進入せしめ、これにより、閉傘時に露先が親骨の先端部から脱落することを防止する。
【００１０】
【発明の実施の形態】
以下図面に基づいて本発明の好ましい実施形態を詳述する。
【００１１】
図１ないし図５は、本発明の１実施例に係る洋傘を示しており、洋傘は、中棒１の上端近傍に固定した上ロクロ２と、該上ロクロ２の下方に位置して中棒１に摺動自在に外挿された下ロクロ３と、基端部４ａを上ロクロ２に枢着されると共に先端部４ｂに露先５を設けた親骨９と、基端部６ａを下ロクロ３に枢着されると共に先端部６ｂを親骨９の長手方向中途部に枢結具１０を介して枢結された受骨１１を備えている。親骨９及び受骨１１は、それぞれ上ロクロ２及び下ロクロ３から放射方向に延びるように所定本数（例えば８本）が設けられており、親骨９の上には傘布８が張設されている。露先５は、筒部５ａを親骨９の先端部４ｂに挿脱自在に外挿せしめられ、傘布８の縁部に糸を介して縫着されている。尚、傘布８は、上ロクロ２の上部に石突き（図示せず）を介して固着されると共に、親骨９の枢結具１０又はその近傍部に糸を介して縫着されている。このような基本的構成は、上述した従来の洋傘と同様である。
【００１２】
本発明において、親骨９は、図３及び図４に示されるように、基端部４ａから枢結具１０に至る基骨部９ａと、枢結具１０から先端部４ｂに至る先骨部９ｂとから構成されている。
【００１３】
親骨９の基部側を構成する基骨部９ａは、幅方向（中棒を中心軸とする周方向を「幅方向」という）に弾性変形可能に並設された一対の板骨１２、１２から構成されており、図２（Ａ）及び図３に示すように、下ロクロ３を上昇せしめることにより受骨１１を介して親骨９を開傘せしめたとき、一対の板骨１２、１２が相互に離反方向に湾曲して弾性変形されるように構成している。このような弾性変形可能な板骨１２は、板バネを構成する鋼等の金属板により形成し又は弾性変形に優れた合成樹脂板により形成することができ、一対の板骨１２、１２を重ね合わせることにより基骨部９ａを構成する。
【００１４】
親骨９の先部側を構成する先骨部９ｂは、従来の親骨と同様の素材により形成することができるが、図例の場合、硝子繊維又は炭素繊維等により補強された強化合成樹脂を押出成形又は引抜成形することにより得られた断面円形又は角形の合成樹脂製棒材により構成されている。
【００１５】
枢結具１０は、図５に示すように、断面ほぼＵ形又は門形に形成された本体部１３により枢結孔１４を備えた一対のブラケット１５、１５を設け、該本体部１３から親骨９の基部側に延びる第１保持部１６と、親骨５の先部側に延びる第２保持部１７とを延設している。
【００１６】
枢結具１０の第１保持部１６は、親骨９の基骨部９ａを構成する板骨１２、１２の重ね合わせられた先端部１２ａを保持する溝形に形成されており、溝縁部から溝開口に進入する爪片１６ａを一体に設けている。図示のように、板骨１２、１２の重ね合わせられた先端部１２ａは、最先端から所定寸法だけ離れた位置で金属板等から成るバンド１８により抱持せしめられていることが好ましい。従って、板骨１２、１２の先端部１２ａを第１保持部１６に対して軸方向に挿入したとき、バンド１８が爪片１６ａに当接し、位置決めを行うことができる。尚、この状態で、第１保持部１６をかしめることにより板骨１２、１２の先端部１２ａが第１保持部１６に保持固着される。
【００１７】
枢結具１０の第２保持部１７は、親骨９の先骨部９ｂの基端部１３ａを保持するほぼ筒状に形成されており、筒状部の軸方向に割溝を形成する一対の爪片１７ａ、１７ａを一体に設けている。従って、先骨部９ｂの先端部１３ａを第２保持部１７に対して軸方向に挿入した状態で、爪片１７ａ、１７ａをかしめることにより先骨部９ｂの先端部１３ａが第２保持部１７に保持固着される。
【００１８】
このようにして枢結具１０を介して連結されると共に同軸線上に延びる基骨部９ａと先骨部９ｂから構成された親骨９は、図２（Ａ）及び図３に示すように、上ロクロ２の周方向に等間隔をあけて配置され、基端部４ａを上ロクロ２に枢着される。図示実施例の場合、１本の親骨９に含まれる一対の板骨１２、１２に関して、隣り合う親骨９、９の隣接する板骨１２、１２の基端部４ａ、４ａが重ね合わされた状態で上ロクロ２の溝（図示せず）に嵌入され枢着される。この際、図５に示すように、隣り合う親骨９、９の間において重ね合わされた板骨１２、１２の基端部４ａ、４ａを金属板等から成るバンド１８により抱持せしめた構成としておけば、上ロクロ２に対して枢着せしめる作業が容易となる。
【００１９】
上記構成に基づく洋傘の実施例によれば、下ロクロ３を押し上げることにより受骨１１を介して親骨１０を開傘せしめると、親骨９の基骨部９ａが一対の板骨１２、１２を相互に離反方向に向けてほぼアーチ形に湾曲せしめられる。従って、このように湾曲した板骨１２、１２により、傘布８を下方から支持する幅広支持手段１８が構成される。このため、傘布８は、隣り合う親骨９、９の間に位置する部分において板骨１２、１２により好適に支持されるので、強風等を受けたときでも煽られるようなことがない。また、大粒の雨水の落下を受けた場合、傘布８は、少なくともほぼ中央部において花弁状に広がる板骨１２、１２によって全体的に支持されているので、雨水の衝撃音を抑制することができる。
【００２０】
ところで、下ロクロ３を下降することにより受骨１１を介して親骨１０を閉傘せしめると、親骨９における基骨部９ａの一対の板骨１２、１２は、図４に示すように、開傘時の湾曲状態から直線状態へと弾性復元する。従って、親骨９は、図１（Ａ）に示すような開傘時における相互に離反方向に湾曲せしめられた一対の板骨１２、１２により規定される基骨部９ａの長さＬ１と、図１（Ｂ）に示すような閉傘時における相互にほぼ直線状態で重ね合わせられた一対の板骨１２、１２により規定される基骨部９ｂの長さＬ２が、Ｌ１＜Ｌ２となるように構成されており、これにより板骨１２、１２が伸縮手段１９を構成する。このため、開傘時と閉傘時の何れにおいても、露先５の筒部５ａは、親骨９の先骨部９ｂの先端部４ｂにほぼ圧接された状態を維持するので、従来のように閉傘時に露先５が先骨部９ｂの先端部４ｂから脱落し易くなるというようなことはない。即ち、図１（Ａ）に示す開傘時において、傘布８の緊張により親骨９の先骨部９ｂが湾曲されており、露先５は、筒部５ａを先骨部９ｂの先端部４ｂに圧接した状態とされている。そして、傘を閉じると、親骨９の集束により傘布８は弛むが、前述のような板骨１２、１２の弾性復元により、親骨９が全体の長さを伸長せしめるので、図１（Ｂ）に示すように、閉傘時においても、先骨部９ｂの先端部４ｂを露先５の筒部５ａに対し奥深く進入せしめ、これにより、露先５が先端部４ｂから脱落することを防止する。
【００２１】
【発明の効果】
本発明によれば、親骨９は、基端部４ｂから枢結具１０に至る基骨部９ａと、枢結具１０から先端部４ｂに至る先骨部９ｂとから構成され、基骨部９ａは、幅方向に弾性変形可能に並設された一対の板骨１２、１２から構成されているので、下ロクロ３の上昇により受骨１１を介して親骨９を開傘せしめると、一対の板骨１２、１２が相互に離反方向に湾曲して弾性変形される。
【００２２】
そこで、親骨９の基骨部９ａは、開傘時に相互に離反方向に湾曲せしめられた一対の板骨１２、１２により、傘布を下方から支持する幅広支持手段１８を構成する。従って、親骨９、９間における傘布は、花弁状に広がる幅広支持手段１８により好適に支持される。このため、開傘時に強風を受けた際にも傘布が煽られることはなく、また、大粒の雨水の落下を受けた際にも衝撃音が小さく静粛性に優れる。
【００２３】
更に、親骨９は、開傘時に相互に離反方向に湾曲せしめられた一対の板骨１２、１２により規定される基骨部９ａの長さＬ１と、閉傘時に相互にほぼ直線状態で重ね合わせられた一対の板骨１２、１２により規定される基骨部９ａの長さＬ２を、Ｌ１＜Ｌ２とする伸縮手段１９を構成する。従って、閉傘時に傘布８が弛む際に、基骨部９ａが伸長することにより親骨９（先骨部９ｂ）の先端部４ｂを露先５の筒部５ａに対し奥深く進入せしめ、これにより、閉傘時に露先５が親骨９の先端部４ｂから脱落することを防止するという効果がある。
【図面の簡単な説明】
【図１】本発明の１実施形態を示しており、（Ａ）は開傘状態を示す側面図、（Ｂ）は閉傘途中の状態を示す側面図である。
【図２】同実施形態を示しており、（Ａ）は開傘状態を示す平面図、（Ｂ）は開傘状態を示す側面図である。
【図３】同実施形態の骨組に基づく開傘状態を示す斜視図である。
【図４】同実施形態の骨組に基づく閉傘途中の状態を示す斜視図である。
【図５】親骨を構成する基骨部と、枢結具と、先骨部を分解した状態で示す斜視図である。
【図６】従来技術を示しており、（Ａ）は開傘状態を示す側面図、（Ｂ）は閉傘途中の状態を示す側面図である。
【符号の説明】
１    中棒
２    上ロクロ
３    下ロクロ
４ａ  親骨の基端部
４ｂ  親骨の先端部
５    露先
８    傘布
９    親骨
９ａ  親骨の基骨部
９ｂ  親骨の先骨部
１０    枢結具
１１    受骨
１２    板骨
【図１】
2004194952.tif 000003
【図２】
2004194952.tif 000004
【図３】
2004194952.tif 000005
【図４】
2004194952.tif 000006
【図５】
2004194952.tif 000007
【図６】
2004194952.tif 000008